(57)【要約】【課題】集草装置が車体に脱着可能に支持される乗用型草刈機において、車体から取り外した集草装置を支持台車にうまい具合に載せることができながら、集草装置の取り外し作業を迅速に行えるようにする。【解決手段】集草装置を脱着する際に使用する支持台車であって、作業床を移動可能な基台部３０と、集草装置を載置支持する載置部３７と、基台部３０の前部分に設けられ、車体に対して後方から係脱可能に係合される位置決め部４２と、が備えられている。位置決め部４２が車体に係合されると、基台部３０の車体に対する車体前後方向での位置決め、及び、基台部３０の車体に対する車体横幅方向での位置決めが位置決め部４２によって行われる。【選択図】図１
2020078254.tif 000002
【特許請求の範囲】
【請求項１】
車体に設けられた草刈装置と、前記車体の後部に脱着可能に支持される支持機構、及び、前記支持機構に支持され、前記草刈装置によって得られた刈草を供給されて貯留する集草容器を有する集草装置と、が備えられた乗用型草刈機に対して、前記集草装置を脱着する際に使用する支持台車であって、
作業床を移動可能な基台部と、
前記基台部に設けられ、前記集草装置を載置支持する載置部と、
前記基台部の前部分に設けられ、前記車体に対して後方から係脱可能に係合される位置決め部と、が備えられ、
前記位置決め部は、前記車体に対して係合されると、前記基台部の前記車体に対する車体前後方向での位置決めを行い、かつ、前記基台部の前記車体に対する車体横幅方向での位置決めを行うように構成されている支持台車。
【請求項２】
前記乗用型草刈機において、前記支持機構は、前記車体の後部に上下揺動可能に支持され、上下揺動によって前記集草容器を前記車体に対して昇降させるリンク機構によって構成されており、前記車体の後部に一端側が脱着可能に連結され、他端側が前記リンク機構に連結され、前記リンク機構を揺動操作する昇降シリンダが前記集草装置に備えられており、
前記車体から外れた状態の前記昇降シリンダを設定伸縮長さの状態で、かつ、前記リンク機構に対する設定連結姿勢の状態で支持するシリンダ支持部が前記基台部に備えられている請求項１に記載の支持台車。
【請求項３】
前記基台部の平面視形状が枠形である請求項１又は２に記載の支持台車。
【請求項４】
車体に設けられた草刈装置と、
前記車体の後部に脱着可能に支持される支持機構、及び、前記支持機構に支持され、前記草刈装置によって得られた刈草を供給されて貯留する集草容器を有する集草装置と、
前記支持機構が前記車体に対して脱着されるとき、前記集草装置が載置され、載置された前記集草装置を載置支持する支持台車と、が備えられ、
前記支持台車に、前記車体に対して後方から係脱可能に係合される位置決め部と、が備えられ、
前記位置決め部は、前記車体に対して係合されると、前記支持台車の前記車体に対する車体前後方向での位置決めを行い、かつ、前記支持台車の前記車体に対する車体横幅方向での位置決めを行うように構成されている乗用型草刈機。
【発明の詳細な説明】
【技術分野】
【０００１】
本発明は、車体の後部に脱着可能に支持される集草装置が備えられた乗用型草刈機に対して、集草装置を脱着する際に使用する支持台車、及び、乗用型草刈機に関する。
【背景技術】
【０００２】
車体に設けられた草刈装置と、車体の後部に脱着可能に支持される支持機構、及び、支持機構に支持され、草刈装置によって得られた刈草を供給されて貯留する集草容器を有する集草装置と、が備えられた乗用型草刈機がある。この種の乗用型草刈機としては、たとえば特許文献１に示される乗用型芝刈り機がある。また、前記の乗用型草刈機において、集草装置を脱着する際に使用する支持台車がある。この種の支持台車としては、たとえば特許文献１に示されるキャリアがある。
【先行技術文献】
【特許文献】
【０００３】
【特許文献１】特開２０１６−２２０５５２号公報
【発明の概要】
【発明が解決しようとする課題】
【０００４】
集草装置が車体から取り外されるとき、支持台車の車体に対する位置を人為的に調節することにより、車体から外れた集草装置を支持台車にうまい具合に（設計通りの載置具合で）載置させために支持台車を置いておくべき箇所を設定されているので、支持台車の位置調節に手間が掛かって集草装置の取り外しに時間が掛かっている。
【０００５】
本発明は、車体から取り外した集草装置を支持台車にうまい具合に載せることができながら、集草装置の取り外し作業を迅速に行える支持台車、及び、乗用型草刈機を提供する。
【課題を解決するための手段】
【０００６】
本発明による支持台車は、
車体に設けられた草刈装置と、前記車体の後部に脱着可能に支持される支持機構、及び、前記支持機構に支持され、前記草刈装置によって得られた刈草を供給されて貯留する集草容器を有する集草装置と、が備えられた乗用型草刈機に対して、前記集草装置を脱着する際に使用する支持台車であって、作業床を移動可能な基台部と、前記基台部に設けられ、前記集草装置を載置支持する載置部と、前記基台部の前部分に設けられ、前記車体に対して後方から係脱可能に係合される位置決め部と、が備えられ、前記位置決め部は、前記車体に対して係合されると、前記基台部の前記車体に対する車体前後方向での位置決めを行い、かつ、前記基台部の前記車体に対する車体横幅方向での位置決めを行うように構成されている。
【０００７】
本構成によると、支持台車を車体に向けて移動させて位置決め部が車体に係合すると、位置決め部が係合したときに支持台車が位置する箇所を、車体からはずれた集草装置がうまい具合に載るように支持台車を置いておく箇所として設定できるので、集草装置を車体から外すとき、支持台車を車体に向けて移動させて位置決め部を車体に係合させるだけで支持台車を適切な箇所に置いておいて、車体から外れた集草装置を支持台車にうまい具合に載置できるのであり、しかも、集草装置の取り外し作業を迅速に行える。
【０００８】
本発明においては、前記乗用型草刈機において、前記支持機構は、前記車体の後部に上下揺動可能に支持され、上下揺動によって前記集草容器を前記車体に対して昇降させるリンク機構によって構成されており、前記車体の後部に一端側が脱着可能に連結され、他端側が前記リンク機構に連結され、前記リンク機構を揺動操作する昇降シリンダが前記集草装置に備えられており、前記車体から外れた状態の前記昇降シリンダを設定伸縮長さの状態で、かつ、前記リンク機構に対する設定連結姿勢の状態で支持するシリンダ支持部が前記基台部に備えられていると好適である。
【０００９】
本構成によると、昇降シリンダがシリンダ支持部によって支持されている状態におけるリンク機構の対集草容器連結姿勢を、リンク機構を車体に連結するときにリンク機構の車体に対する連結を行い易い対車体位置にリンク機構が位置するのに相当するリンク機構の対集草容器連結姿勢として設定きるので、集草装置を車体に取り付けるとき、リンク機構の車体に対する位置調整をせずに済むとか、迅速にすることができ、リンク機構の車体への連結を迅速に行える。
【００１０】
本発明においては、前記基台部の平面視形状が枠形であると好適である。
【００１１】
本構成によると、基台部の内部が空洞部になって基台部が軽くなるので支持台車を楽に移動操作できる。
【００１２】
本発明による乗用型草刈機は、
車体に設けられた草刈装置と、前記車体の後部に脱着可能に支持される支持機構、及び、前記支持機構に支持され、前記草刈装置によって得られた刈草を供給されて貯留する集草容器を有する集草装置と、前記支持機構が前記車体に対して脱着されるとき、前記集草装置が載置され、載置された前記集草装置を載置支持する支持台車と、が備えられ、前記支持台車に、前記車体に対して後方から係脱可能に係合される位置決め部と、が備えられ、前記位置決め部は、前記車体に対して係合されると、前記支持台車の前記車体に対する車体前後方向での位置決めを行い、かつ、前記支持台車の前記車体に対する車体横幅方向での位置決めを行うように構成されている。
【００１３】
本構成によると、位置決め部の車体に対する係合により、車体から外れた集草装置が支持台車にうまい具合に載るように支持台車を置いておくべき箇所を設定できるので、集草装置を車体から外すとき、外れた集草装置を支持台車にうまい具合に載置できながら、集草装置の取り外し作業を迅速に行える。
【図面の簡単な説明】
【００１４】
【図１】支持台車及び位置決め基準部を示す斜視図である。
【図２】乗用型草刈機の全体を示す左側面図である。
【図３】乗用型草刈機の全体を示す平面図である。
【図４】リンク機構の連結構造、及び、位置合わせ機構を示す側面図である。
【図５】リンク機構の連結構造、及び、作用状態の位置合わせ機構を示す側面図である。
【図６】図５のＶＩ−ＶＩ断面矢視図である。
【図７】集草装置を脱着するときの支持台車を示す側面図である。
【図８】集草装置を載置支持する状態の支持台車の断面図である。
【図９】集草装置を移送するときの支持台車を示す側面図である。
【図１０】位置決め基準部及び位置決め部を示す平面図である。
【図１１】係合状態の位置決め部を示す平面図である。
【発明を実施するための形態】
【００１５】
以下、本発明の一例である実施形態を図面に基づいて説明する。
支持台車Ｃは、集草装置１０を脱着可能に備える乗用型草刈機Ｋに対して、集草装置１０を着脱する際に使用するものである。
【００１６】
〔乗用型草刈機の全体について〕
以下の説明では、乗用型草刈機の車体に関し、図２，３に示される矢印Ｆの方向を「車体前方」、矢印Ｂの方向を「車体後方」、図２に示される矢印Ｕの方向を「車体上方」、矢印Ｄの方向を「車体下方」、図３に示される矢印Ｌの方向を「車体左方」、矢印Ｒの方向を「車体右方」とする。
【００１７】
図２，３に示されるように、乗用型草刈機Ｋは、左右一対の前車輪１が揺動操向可能に装備され、左右一対の後車輪２が駆動可能に装備され、運転座席３、及び、前車輪１を操向操作するステアリングホィール４を有する運転部５が形成された乗用型の車体を備えている。車体の前部に、後車輪２に伝達される動力を出力するエンジン６を有する原動部７が形成されている。前車輪１と後車輪２との間に、草及び芝の刈取りを行う草刈装置８が設けられている。草刈装置８は、エンジン６の動力を伝達されて駆動される。車体の後部に、集草容器１１を有する集草装置１０が支持されている。草刈装置８と集草容器１１とにわたり、草刈装置８によって得られた刈草や刈芝（以下、刈草と総称する。）を草刈装置８の刈刃（図示せず）が回転によって起こす風によって集草容器１１に搬送する搬送ダクト９が設けられている。搬送ダクト９は、車体の下方のうち、左の後車輪２と右の後車輪２との間の箇所を前後方向に通る状態で設けられている。
【００１８】
〔集草装置の構成について〕
集草装置１０は、図２，３に示されるように、集草容器１１、及び、集草容器１１を車体に支持させる支持機構を構成するリンク機構１２を備えている。
【００１９】
リンク機構１２は、車体後部に立設された支持フレーム１３から後向きに上下揺動可能に延出されている。リンク機構１２の延出端部が集草容器１１に相対揺動可能に連結されている。支持フレーム１３は、図１に示されるように、左右の車体フレーム１４の後部に連結部材１５を介して支持されている。集草容器１１は、リンク機構１２の揺動作動により、車体に対して下降して草刈装置８からの刈草を貯留する下降貯留姿勢と、車体に対して上昇して貯留している刈草を排出する上昇排出姿勢と、にわたって昇降される。
【００２０】
具体的には、リンク機構１２は、左右一対のリンク機構部１２Ａを備えている。左のリンク機構部１２Ａは、支持フレーム１３のうちの左の支柱部１３ａから後向きに上下揺動可能に延出されている。左のリンク機構部１２Ａの延出端部は、集草容器１１の左横側部分に設けられたリンク支持部１１ａに揺動可能に連結されている。右のリンク機構部１２Ａは、支持フレーム１３のうちの右の支柱部１３ａから後向きに上下揺動可能に延出されている。右のリンク機構部１２Ａの延出端部は、集草容器１１の右横側部分に設けられたリンク支持部１１ａに揺動可能に連結されている。
【００２１】
左右のリンク機構部１２Ａは、図４，５に示される連結構造に基づいて支柱部１３ａに脱着可能に、かつ、上下揺動可能に連結されるよう構成さている。
すなわち、図４に示されるように、リンク機構部１２Ａの前部に、リンク機構部１２Ａを構成する上リンク部材１２ｕ及び下リンク部材１２ｄにわたる連結部１６が備えられている。上リンク部材１２ｕ及び下リンク部材１２ｄのそれぞれと連結部１６とは、支点軸１７を介して相対揺動可能に連結されている。連結部１６の上下２箇所に連結穴１８が形成されている。支柱部１３ａに、２つの連結穴１８に対応する上下２つの支持穴１９が形成されている。上側の連結穴１８と、上側の支持穴１９とに脱着可能な連結軸２０（図２参照）が装着され、下側の連結穴１８と、下側の支持穴１９とに脱着可能な連結軸２０が装着されることにより、リンク機構部１２Ａが支柱部１３ａに脱着可能に、かつ、上下揺動可能に連結される。
【００２２】
図４に示されるように、左右のリンク機構部１２Ａのそれぞれにおいて、リンク機構部１２Ａと支柱部１３ａとにわたり、リンク機構１２の支持フレーム１３に対する連結作業を容易にする位置合わせ機構２１が設けられている。位置合わせ機構２１は、連結部１６の上下２箇所に形成された支持機構側位置決め穴２１ａと、支柱部１３ａの上下２箇所に形成された車体側位置決め穴２１ｂと、を備えている。
【００２３】
位置合わせ機構２１においては、図５，６に示されるように、上側の支持機構側位置決め穴２１ａと上側の車体側位置決め穴２１ｂとにわたって位置決め棒２２（たとえばシノ付きレンチにおけるシノ）が挿入され、上側の支持機構側位置決め穴２１ａと上側の車体側位置決め穴２１ｂとが位置決め棒２２によって合致され、かつ、下側の支持機構側位置決め穴２１ａと下側の車体側位置決め穴２１ｂとにわたって位置決め棒２２が挿入され、下側の支持機構側位置決め穴２１ａと、下側の車体側位置決め穴２１ｂとが位置決め棒２２によって合致されることにより、上下２箇所の連結穴１８のそれぞれを支持穴１９に対する位置合わせ状態にするよう作用状態になる。位置合わせ機構２１を作用状態にすることにより、連結穴１８及び支持穴１９に対する連結軸２０の装着が容易になる。
【００２４】
左右のリンク機構部１２Ａのそれぞれにおいて、図２に示されるように、下リンク部材１２ｄに形成されたシリンダ取付部２４と、支柱部１３ａに形成されたシリンダ連結部１３ｂとに、リンク機構部１２Ａを支持フレーム１３に対して揺動操作する昇降シリンダ２３を連結するように構成されている。左右のリンク機構部１２Ａのそれぞれが昇降シリンダ２３の伸縮作動によって上下揺動されることにより、集草容器１１が下降貯留姿勢と上昇排出姿勢とにわたって昇降操作されるよう構成されている。左右の昇降シリンダ２３は、シリンダ連結部１３ｂに脱着可能に連結されるようになっている。
【００２５】
集草装置１０は、左右のリンク機構部１２Ａが支柱部１３ａに連結されることにより、リンク機構１２が支持フレーム１３に連結された状態になり、左右の昇降シリンダ２３がシリンダ連結部１３ｂに連結されることにより、車体に取付けられる。リンク機構１２を支持フレーム１３に連結するとき、左右のリンク機構部１２Ａにおいて、位置合わせ機構２１を作用状態にすることにより、連結部１６を支柱部１３ａに容易に連結できる。
【００２６】
車体に取付けられた集草装置１０においては、左右のリンク機構部１２Ａが昇降シリンダ２３によって上下に揺動操作されることにより、リンク機構１２が昇降操作されて集草容器１１が下降貯留姿勢と上昇排出姿勢とにわたって昇降操作される。
【００２７】
集草装置１０は、左右のリンク機構部１２Ａの支柱部１３ａに対する連結が解除されることにより、リンク機構１２が支持フレーム１３から外れた状態になり、左右の昇降シリンダ２３のシリンダ連結部１３ｂに対する連結が解除されることにより、左右の昇降シリンダ２３が支持フレーム１３から外れた状態になり、車体から外れる。
【００２８】
〔支持台車の構成について〕
支持台車Ｃは、図１に示されるように、左右一対の前キャスター輪２９ａ及び左右一対の後キャスター輪２９ｂが装着された基台部３０を備えている。基台部３０は、地面などの作業床Ｇ（図７参照）を前キャスター輪２９ａ及び後キャスター輪２９ｂによって移動することが可能になっている。基台部３０は、平面視形状が枠形になる状態に組み合わされた左右一対の前後向きフレーム３１、及び、前後一対の横向きフレーム３２によって構成されている。基台部３０の内部が左右一対の前後向きフレーム３１及び前後一対の横向きフレーム３２によって囲われた空洞部になり、基台部３０は、軽く構成されている。本実施形態では、基台部３０の平面視形状が矩形の枠形になっているが、これに限らず、六角形、楕円形など、矩形以外の枠形の採用が可能である。
【００２９】
前キャスター輪２９ａは、基台部３０の前部おける横側部分に支持されている。具体的には、前キャスター輪２９ａは、前後向きフレーム３１の前部における横外側部分に基台部３０の上下方向に沿う姿勢で備えられた前支持フレーム３３の下部に支持されている。後キャスター輪２９ｂは、基台部３０の後部における横側部分に支持されている。具体的には、後キャスター輪２９ｂは、前後向きフレーム３１の後部における横外側部分に基台部３０の上下方向に沿う姿勢で備えられた後支持フレーム３４の下部に支持されている。左右の前支持フレーム３３にわたって前補強フレーム３５が連結されている。左右の後支持フレーム３４にわたって後補強フレーム３６が連結されている。
【００３０】
図１に示されるように、基台部３０の上部に、集草装置１０を載置する載置部３７が形成されている。載置部３７は、前の横向きフレーム３２に形成された左右一対の前容器載置部３８と、左右の後支持フレーム３４の上部に形成された後容器載置部３９と、左右の前支持フレーム３３の上部に形成されたシリンダ保持部４０と、を備えている。左右の後容器載置部３９は、図７に示されるように、左右の前容器載置部３８よりも上方に位置している。
【００３１】
図７，８に示されるように、左右の前容器載置部３８は、集草容器１１が有する容器枠の前下部分１１ｂが載置されて集草容器１１の前側を支持するように構成されている。左右の後容器載置部３９は、リンク支持部１１ａが載置されて集草容器１１の後側、及び、リンク機構部１２Ａの後端側を支持するように構成されている。左右のシリンダ保持部４０は、昇降シリンダ２３の下リンク部材１２ｄに連結されている側と反対側の端部がセットされて昇降シリンダ２３、及び、リンク機構部１２Ａの前端側を支持するように構成されている。
【００３２】
図１に示されるように、基台部３０の左側部分に、シリンダ支持部４１が設けられている。具体的には、シリンダ支持部４１は、図７に示されるように、左のシリンダ保持部４０からリンク機構部１２Ａに向けて延出する棒状部材によって構成されている。シリンダ支持部４１の延出端部は、下リンク部材１２ｄのシリンダ取付部２４に脱着可能に連結するよう構成されている。
【００３３】
図７に示されるように、シリンダ支持部４１は、シリンダ支持部４１の延出端部がシリンダ取付部２４に連結されることにより、シリンダ取付部２４を突っ張り支持し、左の昇降シリンダ２３の短縮を不能にする。シリンダ支持部４１は、シリンダ支持部４１の延出端部がシリンダ取付部２４に連結されることにより、シリンダ取付部２４を突っ張り支持し、左のシリンダ保持部４０に保持された昇降シリンダ２３を設定伸縮長さの状態で、かつ、リンク機構部１２Ａに対する設定連結姿勢の状態で支持するように作用状態になる。シリンダ支持部４１によって支持された昇降シリンダ２３が備える設定伸縮長さとしては、リンク機構部１２Ａの連結部１６の地上高さと、支柱部１３ａのうちの連結部１６が連結される部分の地上高さとがほぼ同じになる連結角度でリンク機構部１２Ａを集草容器１１に連結させるための伸縮長さが設定されている。シリンダ支持部４１によって支持された昇降シリンダ２３が備える対リンク機構部連結姿勢としては、リンク機構部１２Ａの連結部１６の地上高さと、支柱部１３ａのうちの連結部１６が連結される部分の地上高さとがほぼ同じになる連結姿勢でリンク機構部１２Ａを集草容器１１に連結させるための対リンク機構連結姿勢が設定されている。
【００３４】
〔位置決め部の構成〕
図１に示されるように、基台部３０の前部分に、車体横幅方向に並ぶ左右一対の位置決めアーム４２ａ，４２ｂを備える位置決め部４２が設けられている。位置決め部４２は、支持台車Ｃが車体の後方から車体に向けて移動されることにより、図１，７に示される如く車体の後部に備えられた位置決め基準部４３に係脱可能に係合するように構成されている。
【００３５】
具体的には、位置決め基準部４３は、図１に示されるように、車体横幅方向に並ぶ左右一対の基準部材４３ａ，４３ｂを備えている。左右の基準部材４３ａ，４３ｂは、車体フレーム１４が有するブラケット４４に支持されている。左右の基準部材４３ａ，４３ｂは、車体フレーム１４に固定されている。
【００３６】
位置決め部４２は、図１に示されるように、左右一対の位置決めアーム４２ａ，４２ｂを備えている。左右の位置決めアーム４２ａ，４２ｂは、図１，１０に示されるように、前の横向きフレーム３２から前向きに突設されている。図１０に示されるように、左右の位置決めアーム４２ａ，４２ｂそれぞれの前部に、前向き当り部４５及び横外向き当り部４６が形成されている。
【００３７】
図１１に示されるように、位置決め部４２が位置決め基準部４３に係合すると、左の位置決めアーム４２ａの前向き当り部４５が左の基準部材４３ａの後向き部分に当接し、左の位置決めアーム４２ａの横外向き当り部４６が左の基準部材４３ａの内向き横部分に当接し、右の位置決めアーム４２ｂの前向き当り部４５が右の基準部材４３ｂの後向き部分に当接し、右の位置決めアーム４２ｂの横外向き当り部４６が右の基準部材４３ｂの横内向き部分に当接する。
【００３８】
すなわち、位置決め部４２においては、車体としての位置決め基準部４３に係脱可能に係合し、係合することにより、左右の位置決めアーム４２ａ，４２ｂの基準部材４３ａ，４３ｂの後向き部分に対する当接によって基台部３０の車体に対する前後方向での位置決めが行われ、左右の位置決めアーム４２ａ，４２ｂの基準部材４３ａ，４３ｂの横内向き部分に対する当接によって基台部３０の車体に対する車体横幅方向での位置決めが行われるよう作用状態になる。位置決め部４２によって位置決めされる基台部３０の対車体位置としては、車体から外れた集草装置１０を支持台車Ｃに設計どおりの載置具合で載置させるための対車体位置が設定されている。
【００３９】
集草装置１０を車体から取り外すとき、外れた集草装置１０が支持台車Ｃに載置支持されるようにして行うには、次の要領に基づいて行う。
図７に示されるように、地面などの作業床Ｇに位置させた乗用型草刈機Ｋの車体の後方から支持台車Ｃを車体に向けて移動させる。基台部３０が軽いことにより、支持台車Ｃを楽に移動操作できる。位置決め部４２が位置決め基準部４３に係合すると、係合したときに支持台車Ｃが位置する箇所に支持台車Ｃを停止させて置いておく。支持台車Ｃを停止させた後、左右のリンク機構部１２Ａの支柱部１３ａに対する連結を解除してリンク機構１２の支持フレーム１３に対する連結を解除し、左右の昇降シリンダ２３のシリンダ連結部１３ｂに対する連結を解除すると、集草装置１０が支持フレーム１３から外れて支持台車Ｃに載る。位置決め部４２による基台部３０の車体に対する位置決めが行われていることにより、支持台車Ｃは、位置決め部４２による位置決めを受けて集草装置１０の載置に適切な箇所に位置しており、集草装置１０が、図７に示されるように、設計どおりの載置具合で支持台車Ｃに載る。すなわち、集草容器１１の前下部分１１ｂが左右の前容器載置部３８に載り、左右のリンク支持部１１ａが後容器載置部３９に載り、左右の昇降シリンダ２３のシリンダ連結部１３ｂから外した端部がシリンダ保持部４０に載る。
【００４０】
集草装置１０を車体に取り付けるとき、図９に示されるように、地面などの作業床Ｇに位置させた乗用型草刈機Ｋの車体の後方から支持台車Ｃを車体に向けて移動させる。図７に示されるように、位置決め部４２が位置決め基準部４３に係合すると、係合したときに支持台車Ｃが位置する箇所に支持台車Ｃを停止させる。位置決め部４２による基台部３０の車体に対する位置決めが行われ、支持台車Ｃが位置決め部４２による位置決めを受けて集草装置１０の取り外しを行うときの箇所と同じ箇所に位置しており、かつ、昇降シリンダ２３がシリンダ支持部４１によって設定伸縮長さの状態で、かつ、リンク機構部１２Ａに対する設定連結姿勢の状態で支持されていて、連結部１６が支柱部１３ａの支持穴１９を有する部分に対応する箇所に位置し、左右のリンク機構部１２Ａを支柱部１３ａに連結しやすい。位置合わせ機構２１を使用することにより、連結軸２０を連結部１６及び支柱部１３ａに装着しやすい。左右の昇降シリンダ２３の端部をシリンダ保持部４１からはずすことにより、シリンダ連結部１３ｂに届く。
【００４１】
〔別実施形態〕
（１）上記した実施形態では、支持機構が上下揺動可能なリンク機構１２によって構成され、集草容器１１が昇降シリンダ２３によって昇降操作される例を示したが、昇降シリンダ２３を備えず、かつ、支持機構が支持フレーム１３に昇降不能に支持され、集草容器１１を昇降できないものであってもよい。
【００４２】
（２）上記した実施形態では、シリンダ支持部４１が左の昇降シリンダ２３に作用するよう構成した例を示したが、右の昇降シリンダ２３に作用するシリンダ支持部を採用してもよい。
【００４３】
（３）上記した実施形態では、基台部３０がキャスター輪によって移動可能であるよう構成した例を示したが、キャスター輪に限らず、操向操作可能な車輪、駆動可能な車輪、クローラなどを採用してもよい。
【産業上の利用可能性】
【００４４】
本発明は、手動によって移動される支持台車のほか、電動モータなどの動力によって移動される支持台車に適用できる。
【符号の説明】
【００４５】
８        草刈装置
１０      集草装置
１１      集草容器
１２      リンク機構(支持機構)
２３      昇降シリンダ
３０      基台部
３７      載置部
４１      シリンダ支持部
４２      位置決め部
Ｇ        作業床
Ｋ        乗用型草刈機
【図１】
2020078254.tif 000003
【図２】
2020078254.tif 000004
【図３】
2020078254.tif 000005
【図４】
2020078254.tif 000006
【図５】
2020078254.tif 000007
【図６】
2020078254.tif 000008
【図７】
2020078254.tif 000009
【図８】
2020078254.tif 000010
【図９】
2020078254.tif 000011
【図１０】
2020078254.tif 000012
【図１１】
2020078254.tif 000013